(57)【要約】 【課題】目視では鏡でありその鏡面上にパターンの存在を確認できないが、鏡面に拡散光線を照射し反射した光を投影させると、明暗のパターンを読み取ることができる偽造防止媒体を提供する。【解決手段】基材、インキ層の有無またはインキ層の厚みの差による凹凸パターン層、目視では鏡でありその鏡面上にパターンの存在を確認できないが、鏡面に拡散光線を照射し反射した光を投影させると、鏡面の裏面側に積層された凹凸パターン層に対応した明暗のパターンを読み取ることができる反射層、前記反射層を覆うように形成された透明性を有する保護層を順に積層する偽造防止媒体に特徴を有する。【選択図】  図１
2019022951.tif 000002
【特許請求の範囲】
【請求項１】
少なくとも、基材、
該基材上の所定の領域に形成された、インキ層の有無またはインキ層の厚みの差による凹凸パターン層、
前記凹凸パターン層が形成された領域上に、目視では鏡面上にパターンの存在を確認できないが、その鏡面に拡散光線を照射し反射した光を投影させると、鏡面の裏面側に積層された凹凸パターン層に対応した明暗のパターンを読み取ることができる反射層、
前記反射層を覆うように形成された透明性を有する保護層が順に積層されていることを特徴とする偽造防止媒体。
【請求項２】
前記反射層と前記凹凸パターン層との間に熱可塑性樹脂層を介していることを特徴とする請求項１記載の偽造防止媒体。
【発明の詳細な説明】
【技術分野】
【０００１】
本発明は、目視では鏡でありその鏡面上にパターンの存在を確認できないが、その鏡面に拡散光線を照射し反射した光を投影させると、鏡面の裏面側に積層された凹凸パターンに対応した明暗のパターンを読み取ることができる偽造防止媒体に関する。
【背景技術】
【０００２】
従来、偽造防止技術には、ホログラムや回折格子など、使用者が確認し易く真偽判定できるが、その複製や複写が困難なもの、また、商品に貼付されたラベルや印刷物の真偽を判定する際に、紫外線で発光する材料で認証用のマークを印刷し、紫外線ランプを照射して目視で判定したり、赤外線を吸収する材料で印刷して赤外線を照射して機械判定する真偽判定方法が用いられるもの等が広く知られている。
【０００３】
しかしながら、隠し効果があり、製品のコピーが困難であり、量産可能な偽造防止媒体については見当たらない。
特許文献１は、ホログラムの複製方法に関するもので、表面に微細な凹凸形状を賦与して情報を記録するレリーフホログラムの量産に適した複製方法に関するものである。熱可塑性合成樹脂からなる基材の表面に蒸着薄膜層を有する複合基材の前記金属薄膜層表面にレリーフホログラムの逆型形状を有する金型の金型面を接触させ、かつ加熱及び加圧して賦型するレリーフホログラムの複製方法で、量産が可能であり、蒸着工程は高度な制御を必要としない効果があるものである。
しかしながら、特許文献１では、レリーフホログラムの成形に金型を使用する必要があり、また、反射性の蒸着薄膜層上に成形された微細な凹凸形状のレリーフホログラムは目視でその存在が確認できるもので、その存在が確認されない隠し効果としては開示されていない。
一方、特許文献２は、弾性変形型を用いた型成形法に関するもので、魔鏡の製造技術に関するものである。魔鏡の技術は、鋳造によって製造した裏面に凹凸を持った金属板の表面を研磨し、研磨圧によって裏面の凹凸に対応する位置に微小凹凸を付与し、その表面での光の反射により特殊な光学的像を得る技術として伝統的に存在しているが、製品一つ一つを強圧で研磨しなければならないので製造能率が良くない欠点がある。特許文献２においては、成形時における型の弾性変形を制御する変形成形法によって所要の形状の微小凹凸を付与することができるものである。
しかしながら、特許文献２では、成形型として金属製のものを使用する必要があり、凹凸パターンをインキ層にて形成する方法については開示されていない。
【先行技術文献】
【特許文献】
【０００４】
【特許文献１】特開昭５８―６５４６６号公報
【特許文献２】特公平６−１３１８０号公報
【発明の概要】
【発明が解決しようとする課題】
【０００５】
本発明は、目視では鏡でありその鏡面上にパターンの存在を確認できないが、鏡面に拡散光線を照射し反射した光を投影させると、パターンを読み取ることができる偽造防止媒体を提供することを課題とする。  
【課題を解決するための手段】
【０００６】
上記の課題を解決する本発明は、少なくとも、基材、該基材上の所定の領域に形成された、インキ層の有無またはインキ層の厚みの差による凹凸パターン層、前記凹凸パターン層が形成された領域上に、目視では鏡でありその鏡面上にパターンの存在を確認できないが、鏡面に拡散光線を照射し反射した光を投影させると、鏡面の裏面側に積層された凹凸パターン層に対応した明暗のパターンを読み取ることができる反射層、前記反射層を覆うように形成された透明性を有する保護層が順に積層されていることを特徴とする偽造防止媒体である。
【発明の効果】
【０００７】
本発明の偽造防止媒体によれば、目視では鏡でありその鏡面上にパターンの存在が確認できない状態で隠されて形成されてり、拡散光線を照射し投影された初めてパターンをみることができ真偽を判定することができる。
また、本発明の偽造防止媒体によれば、製造過程において、インキ層の有無またはインキ層の厚みの差による凹凸パターン層に対応したパターンであって、拡散光線の照射によって確認できる程度の微細なパターンを鏡面上に形成することから、直接複製することは困難であり偽造防止効果に優れている。
【図面の簡単な説明】
【０００８】
【図１】本発明の偽造防止媒体の断面図である。
【図２】本発明の偽造防止媒体の読取方法を示す断面図である。
【発明を実施するための形態】
【０００９】
図面を参照して、本発明の実施形態について説明する。
図１は、本発明の偽造防止媒体１００を示す断面図である。
図１に示すように、本発明の偽造防止媒体１００は、基材５０、凹凸パターン層４０、熱可塑性樹脂層３０、反射層２０、保護層１０が順に積層されたものである。
偽造防止媒体１００において、保護層１０の側から見る反射層２０の表面は鏡の状態であり、目視で確認できるパターンのようなものは存在しない。
図２は、本発明の偽装防止媒体の読取方法を示すものである。図２において、偽装防止媒体１００に拡散光線Ｌを照射しその反射光を投影スクリーン２００に投影させる状態が示されている。
図１の本発明の偽造防止媒体１００において、反射層２０の表面には、凹凸パターン層４０に対応した明暗のパターンであって、太陽光線等の平行光線や点光源からの拡散光線Ｌの照射によってはじめて目視で確認できる程度の微細なパターンであり、魔鏡のような効果がみられるものである。魔鏡は、中国および日本に古くから伝えられた青銅鏡で、肉眼ではひずみなどを認めない鏡であるが、太陽光などの平行光を当てると、魔鏡裏面の模様を明暗のパターンとして投影する鏡である。
以下に、偽造防止媒体１００の各層の構成材料と形成方法について詳細する。
偽造防止媒体１００における保護層１０は、反射層２０の表面を保護するものであり、製造過程においては、反射層２０のベースになる場合もある。そのため、透明であること、反射層との接する面は平坦であることが必要とされる。
保護層１０の材料としては、透明であれば、種々の材料が適用できる。例えば、ポリエチレンテレフタレート、ポリエチレンナフタレートなどのポリエステル系樹脂、ナイロン６などのポリアミド系樹脂、ポリエチレン、ポリプロピレン、ポリメチレンペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系樹脂などが例示できる。
保護層１０は、これらの樹脂を主成分とする共重合樹脂、又は、混合体、もしくは複数層からなる積層体であっても良い。また保護層１０は、延伸フィルムでも、未延伸フィルムでも良いが、強度を向上させる目的、一軸方向又は二軸方向に延伸したフィルムが好ましい。
また保護層１０の反射層２０と接する側の面に、保護層１０の表面を平坦化するために、熱可塑性樹脂、硬化性樹脂を平坦化層として設けてもよい。平坦化層は、偽造防止媒体１００の製造において、保護層１０の上に反射層２０を設けることにより、反射率の高い鏡面の作成するために効果的である。
偽造防止媒体１００における反射層２０は、目視ではその表面は鏡面であり、その鏡面上にパターンの存在を確認できないが、鏡面に拡散光線を照射し反射して投影させると、鏡面の裏面側に積層された凹凸パターン層に対応した明暗のパターンを読み取ることができるものである。
反射層２０は反射率が高く、隠蔽性があり下層の凹凸パターン層が見えないものである。反射層２０は反射率がよい金属反射層が好ましい。
反射層２０に用いる金属としては、金属光沢を有し光を反射する金属元素の薄膜で、Ｃｒ，Ｎｉ，Ａｇ，Ａｕ，Ａｌなどの金属、及びその酸化物、硫化物、窒化物などの薄膜を単独又は複数を組み合わせてもよい。金属薄膜の形成は、いずれも１０ｎｍ〜２０００ｎｍ、好ましくは、２０ｎｍ〜１０００ｎｍの厚さになるように、真空蒸着法、スパッタリング法、イオンプレーティング法などの真空薄膜法で得られるが、その他、メッキ法や箔押し法、金属分散インキ塗布法などが用いられる。
偽造防止媒体１００における熱可塑性樹脂層３０は、反射層２０と凹凸パターン層４０との間にあって、偽造防止媒体１００に製造過程において、凹凸パターン層４０の凹凸を直接的ではなく間接的に賦型することにより、目視では確認できない微細なパターンを反射層２０上に形成する機能を有するものである。
熱可塑性樹脂層３０の材料としては、例えば、アクリル酸又はメタクリル酸系樹脂、塩化ビニル系共重合体、ポリアミド系樹脂、セルロース誘導体、ポリエステル樹脂、ポリカーボネート樹脂、及びこれらの混合物を使用することができる。
偽造防止媒体１００における凹凸パターン層４０は、反射層２０の裏側にあって熱可塑性樹脂層３０を介在させて対応する位置にあるもので、凹凸パターン層４０のパターンを製造過程において反射層２０に目視では確認できない微細なパターンとして変形して賦型する機能を有するものである。
凹凸パターン層４０は、インキ層の有無またはインキ層の厚みの差により形成されたものである。
凹凸パターン層４０の材料としては、インキ化し易い樹脂系のものが適しており、熱可塑性樹脂、熱可塑性樹脂、反応性樹脂、可視光線硬化性樹脂、紫外線硬化性樹脂、電子線硬化性樹脂や、これらの混合物が使用される。
偽造防止媒体１００の製造過程において、凹凸パターン層４０が熱可塑性樹脂層３０を介在して反射層２０の裏面に圧力をかけて反射層２０の表面を変形させることから、を面にンを形成することから、凹凸パターン層４０の熱変形温度は、熱可塑性樹脂層３０の熱変形温度よりも高いことが望まれる。
そのため、樹脂系の材料の場合には、熱硬化性樹脂、反応性樹脂、及び可視光線硬化性樹脂、紫外線硬化性樹脂、電子線硬化性樹脂の使用が好ましい。
凹凸パターン層４０の形成方法としては、オフセット印刷、グラビア印刷、シルクスクリーン印刷、フレキソ印刷、インクジェット印刷等の方法を用いることができる。
偽造防止媒体１００における基材５０は、偽造防止媒体１００自体のバースとなるものであり、製造過程では凹凸パターン層４０のベースとなるものである。
基材５０の材料としては、上述した保護層１０と同様の材料を使用することができる。
本発明の偽造防止媒体１００の製造方法の一例として、透明な保護層１０の上に反射層２０として蒸着法によりアルミニウム薄膜を形成し、その上に熱可塑性樹脂層３０を接着層として設ける。一方、基材５０の上に凹凸パターン層４０を紫外線硬化性樹脂にて形成しておく。次に、前記の反射層２０を有する積層体の熱下層性樹脂層３０の面と、前記凹凸パターン層４０の面とを密着させて、熱プレスにより熱圧加工することにより偽造防止媒体１００が得られる。
また、偽造防止媒体１００の製造方法の転写箔とした応用例として、剥離層を設けたフィルムの上に透明な保護層１０を設け、その上に反射層２０としてメッキ法により銅薄膜を形成し、その上に凹凸パターン層としてスクリーン印刷法により熱硬化性樹脂により設け、さらに接着層（ヒートシール層）を設けて積層体を形成する。次に、前記積層体の接着層（ヒートシール層）の面と基材を密着させて熱プレスにより熱圧加工した後に、前記剥離層を設けたフィルムを積層体から剥離除去することによりすることにより偽造防止媒体１００が得られる。
上記のようにして得られた偽造防止媒体１００は、図２に示される装置により保護層１０の側から拡散光線Ｌを照射することによって、投影スクリーン２００の面に凹凸パターン層のパターンに対応した明暗のパターンが投影される。また、反射層２０の表面に形成された微細なパターンは直接コピーが困難なものであり、凹凸パターン層４０の凹凸についても偽造防止媒体１００として一体化されているためコピーが困難なものである。
本発明の偽造防止媒体によれば、目視では鏡でありその鏡面上にパターンの存在が確認できない状態で隠されて形成されており、拡散光線を照射し投影された初めてパターンをみることができ真偽を判定することができる。
また、本発明の偽造防止媒体によれば、製造過程において、インキ層の有無またはインキ層の厚みの差による凹凸パターン層に対応したパターンであって、拡散光線の照射によって確認できる程度の微細なパターンを鏡面上に形成することから、直接複製することは困難であり優れた偽造防止効果を上げることができる。
【符号の説明】
【００１０】
１０        …  保護層
２０        …  反射層内容物入りのカートン
３０        …  熱可塑性樹脂層
４０        …  凹凸パターン層
５０        …  基材
１００        …  偽造防止媒体
２００        …  投影スクリーン
Ｌ        …  拡散光線
【図１】
2019022951.tif 000003
【図２】
2019022951.tif 000004